(57)【要約】  【課題】従来、災害時などの暗闇において、避難経路の表示等には、既存の設備に蓄光性蛍光剤を埋設するものや、蓄光性蛍光材料を塗布したテープ等を既存の設備へ後付けするものがある。既存の設備に蓄光性蛍光材料を埋設したものは、その部分のみを取り替えることができない。また、後付け可能なものは、蓄光性蛍光材料を塗布したテープ等のみを取り替えることができるが、人の往来の激しい階段等に設置された場合、テープ等が剥がれたり、また発光する部分が削れることで、避難経路の表示等としての機能を果たせない場合があった。  【解決手段】本発明では、かかる事情を鑑み、後付け可能である誘導ライン本体を薄くても耐久性の優れた金属にした。また、蓄光性蛍光体部を誘導ライン本体の波の谷部分に誘導ライン長さ方向に沿って配置することで、蓄光性蛍光材料の削れを防止した。  【選択図】      図７
2008152420.tif 000002
【特許請求の範囲】
【請求項１】
断面が略波型の誘導ライン本体と、
誘導ライン本体の波の谷部分に誘導ライン長さ方向に沿って配置される蓄光性蛍光体部と、
からなる誘導ライン。
【請求項２】
前記蓄光性蛍光体部分は、誘導ライン本体の波の谷部分の斜面にそって積層されている請求項１に記載の誘導ライン。
【請求項３】
断面の波数は２である請求項１又は２に記載の誘導ライン。
【請求項４】
階段の縁に配置された階段滑り止めに沿って請求項１から３のいずれか一に記載の誘導ラインを蓄光性蛍光体部が表側となるように配置した階段構造体。
【請求項５】
壁本体と、壁本体下縁側に配置された幅木と、この幅木の上縁又は下縁にそって請求項１から３のいずれか一に記載の誘導ラインを蓄光性蛍光体部が表側となるように配置した壁構造体。
【請求項６】
前記幅木の色と、前記誘導ラインの誘導ライン本体の色とが略同じ色である請求項５に記載の壁構造体。
【発明の詳細な説明】
【技術分野】
【０００１】
本発明は、災害時などの暗闇において、避難経路を表示し、また階段や壁の位置を認識させるための誘導ラインに関する。
【背景技術】
【０００２】
従来、災害時などの暗闇において避難経路の表示等するために、既存の設備を蓄光性蛍光材料等を有する設備に交換するものと、蓄光性蛍光材料を塗布したテープ等を既存の設備へ後付けするものがある。図１２に従来から用いられている避難経路の表示の一例を示した。（ａ）は、幅木１２０２ａに蓄光性蛍光体材料１２０１ａを埋設したものであり、（ｂ）は、後付けが可能な、蓄光性蛍光体部１２０１ｂとテープ等本体１２０２ｂからなる避難経路を表示する誘導ラインを階段１２０３ｂに設置したものの概念図を表す。
【特許文献１】特開２００４−１９１３４
【発明の開示】
【発明が解決しようとする課題】
【０００３】
通常、誘導ラインは床面や階段の縁、幅木などに設置されることが一般的である。したがって、多くの人が行きかう場所に設置された場合、誘導ライン本体が剥がれる場合や、発光する部分が削れる場合があり、非常時に誘導ラインとしての機能を果たせないことがある。また、既存の設備そのものを蓄光性蛍光材料等を有する設備に交換しなければならず、コスト高となる。さらに、誘導ラインの大きさや色によっては、既存の設備の景観を崩すこともある。
【課題を解決するための手段】
【０００４】
そこで、本件発明では、誘導ライン本体及び蓄光性蛍光体部が剥がれにくく、既存の設備の景観を崩さない、後付け可能な誘導ラインを提供する。第１の発明は、誘導ライン長さ方向の断面が略波型の誘導ライン本体と、誘導ライン本体の波の谷部分に誘導ライン長さ方向に沿って配置される蓄光性蛍光体部からなる誘導ラインを提供する。
【０００５】
第２の発明は、第1の発明に係り、蓄光性蛍光体部が、誘導ライン本体の波の谷部分の斜面に沿って積層されている誘導ラインを提供する。
【０００６】
第３の発明は、第1の発明又は第2の発明に係り、誘導ライン長さ方向の断面の波数が２である誘導ラインを提供する。
【０００７】
第４の発明は、第1から第３の発明に係り、階段の縁に配置された階段滑り止めに沿って、誘導ラインを蓄光性蛍光体部が表側となるように配置した階段構造体を提供する。
【０００８】
第５の発明は、壁本体と、壁本体下縁側に配置された幅木と、第1から第３の発明に係り、幅木の上縁又は下縁に沿って、誘導ラインを蓄光性蛍光体部が表側となるように配置した壁構造体を提供する。
【０００９】
第６の発明は、第５の発明に係り、誘導ライン本体の色が幅木の色と略同じ色である壁構造体を提供する。
【発明の効果】
【００１０】
本発明により、誘導ライン本体、及び蓄光性蛍光体部が剥がれにくく、また既存の設備の景観を崩さない誘導ラインを提供することが可能となる。さらに、蓄光性蛍光体部は誘導ライン本体の表側の一部分に過ぎないため、蓄光性蛍光体材料が少量で足り、より安価な誘導ラインの提供が可能となる。
【発明を実施するための最良の形態】
【００１１】
以下、本件発明の実施の形態について、添付図面を用いて説明する。なお、本件発明は、これら実施形態に何ら限定されるべきものではなく、その要旨を逸脱しない範囲において、種々なる態様で実施し得る。
【００１２】
実施形態１は、主に請求項１に関する。
【００１３】
実施形態２は、主に請求項２に関する。
【００１４】
実施形態３は、主に請求項３に関する。
【００１５】
実施形態４は、主に請求項４に関する。
【００１６】
実施形態５は、主に請求項５に関する。
【００１７】
実施形態６は、主に請求項６に関する。
<実施形態１>
<実施形態１  概要>
【００１８】
本実施形態の誘導ラインは、誘導ライン長さ方向の断面が略波型の誘導ライン本体と、誘導ライン本体の波の谷部分に誘導ライン長さ方向に沿って配置される蓄光性蛍光体部からなることを特徴とする。
<実施形態１  構成>
【００１９】
本実施形態の誘導ラインは、誘導ライン本体と、長さ方向の断面が略波型である誘導ラインの該谷部分に、誘導ライン長さ方向に沿って配置される蓄光性蛍光体部からなる。図１に本実施形態を説明するための概念図を示した。蓄光性蛍光体部０１０１と、誘導ライン本体０１０２から構成される。
【００２０】
略波型とは、少なくとも２の波数を有する形状である。誘導ライン長さ方向の断面を図２に示した。
【００２１】
誘導ライン本体は、断面が1又は複数の谷部分を有する形状である。既存の設備に取り付けるために、誘導ライン長さ方向の断面が略波型である表面と階段や床などに接する水平である裏面の形状を持つ。（ａ）は平面に設置する場合であり、（ｂ）は床面と壁が接する角に設置する場合を表す。
【００２２】
誘導ライン本体が、既存の設備の床面や階段の縁に設置された場合、踏まれることが多い。そのため誘導ライン本体の厚みにより躓くのを防ぐため、誘導ライン本体は薄くても耐久性に優れた材質であるアルミニウムや鉄、真鍮、ステンレス等の金属であることが望ましい。誘導ライン本体の、誘導ライン幅方向の両端の形状は、図３に示すように設置する既存の設備に合わせて成型し、（ａ）や（ｂ）、（ｃ）などのように設置することが可能である。躓きを防止するため、（ａ）のような誘導ライン幅方向の両端は滑らかな曲線形状であることが望ましい。また、壁などに沿って設置する場合には、接着面積を大きくするため（ｂ）や（ｃ）のような形状にすると良い。また、既存の設備の景観を崩さないために、誘導ライン本体は細く、普段は目立たない形状であることが望ましい。
【００２３】
また、床面や階段等の他に幅木等への設置も可能である。図４に、幅木０４０１ａ、０４０１ｂ、０４０１ｃに蓄光性蛍光体部０４０２ａ、０４０２ｂ、０４０２ｃと誘導ライン本体０４０３ａ、０４０３ｂ、０４０３ｃからなる誘導ライン本体を設置した場合の概念図を示した。幅木等へ誘導ライン本体を設置する場合は、埃が積もることによる視認性の悪化を防止するため、誘導ライン幅方向の両端を滑らかな曲線形状にすることが望ましい。幅木等へ設置する場合は踏まれることがないため、誘導ライン本体の材質はゴムや樹脂にすることで誘導ライン本体を容易に長く成型することが可能となる。長く成型された誘導ライン本体は、巻き込み状態で保存しておくことが可能である。
【００２４】
蓄光性蛍光体部は、蓄光性蛍光体からなり、暗闇において一定時間光を放出することにより誘導ラインとして機能する。蓄光性蛍光体部の形状の具体例を図５に示した。（ａ）のように階段の縁等を確認するために蓄光性蛍光体部０５０１ａは直線であっても良いし、（ｂ）や（ｃ）に示すように避難経路を示す矢印形状０５０１ｂ、０５０１ｃや（ｄ）のように文字を形成する形状０５０１ｄであっても良い。蓄光性蛍光体は既存の設備の景観を崩さないために、周囲の壁や床の色に合わせて、白・黒・グレー等を選択することが可能である。輝度を高くし、また残光時間を長くしたい場合などは、黄色・黄緑色であっても良い。蓄光性蛍光体部の成型方法としては、誘導ライン本体の波の谷部分に蓄光性蛍光体を略波型に塗布する方法や、蓄光性蛍光体を谷部分に流し込み、硬化したら略波型に削る方法や、蓄光性蛍光体を吹き付ける方法等が可能である。
【００２５】
蓄光性蛍光体とは、発光時に光源が必要な反射材や蛍光顔料とは異なり、室内の照明や太陽光の光エネルギーを内部に蓄積し、暗闇においては、蓄積した光エネルギーを利用して、長時間にわたり発光する物であり、蓄光と発光を半永久的に繰り返す物である。蓄光性蛍光体としては、発光時間が長く、耐久性に優れた物、放射性物質を含まない物が好ましい。蓄光性蛍光体としては、例えば、アルミン酸ストロンチウム、珪素アルミン酸ストロンチウム、アルミン酸カルシウムなどのアルミン酸金属塩などである。
<実施形態１  効果>
【００２６】
誘導ライン本体の略波型の谷部分に蓄光性蛍光体材料を配置するため、階段の縁のようによく踏まれる場所に設置する場合でも、蓄光性蛍光体材料の削れを防止することができる。また、本実施形態の誘導ラインは、既存の設備に容易に取り付け可能であり、誘導ラインのみの取替えも可能である。
<実施形態２>
<実施形態２  概要>
【００２７】
本実施形態は、蓄光性蛍光体部が誘導ライン本体の波の谷部分の斜面に沿って配置されることを特徴とする誘導ラインである。
<実施形態２  構成>
【００２８】
本実施形態の誘導ラインは、誘導ライン本体の略波型の谷部分の斜面に沿って蓄光性蛍光体部を配置した。
【００２９】
誘導ライン本体の波の谷部分の斜面に沿って配置された蓄光性蛍光体部の誘導ライン長さ方向の断面を図６に示した。蓄光性蛍光体部０６０１ａ、０６０１ｂと、誘導ライン本体０６０２ａ、０６０２ｂからなる。既存の設備の床面や階段の縁等に設置した場合でも、蓄光性蛍光体部が直接踏まれることがないため、蓄光性蛍光体材料の削れを防止することが可能である。また、本実施形態の誘導ラインは、上面から視認可能な角度を広くするため、（ｂ）と比べて、（ａ）のように谷部分の角度を広くなるように配置されているのが望ましい。また、埃や汚れを払拭しやすいようにするため、蓄光性蛍光体部の長さ方向の断面が曲線であることが望ましい。
<実施形態２  効果>
【００３０】
本実施形態の誘導ラインは、蓄光性蛍光体部が誘導ライン本体の波の谷部分の斜面に沿って配置することで、蓄光性蛍光体の削れを防止し、また視認可能な角度を広くすることが出来る。また、蓄光性蛍光体材料の使用が少量で足りるため、より安価に誘導ラインを提供することが可能ある。
<実施形態３>
<実施形態３  概要>
【００３１】
本実施形態の誘導ラインは、誘導ライン長さ方向の断面の波数が２である。そのため、蓄光性蛍光体部は１本のラインとなる。
<実施形態３  構成>
【００３２】
本実施形態は、誘導ライン本体の長さ方向の断面の波数が２の誘導ラインである。図７に本実施形態の誘導ラインの斜視図を示した。１本のラインを形成する蓄光性蛍光体部０７０１と、誘導ライン本体０７０２から構成される。誘導ラインは、普段は目立たず、既存の設備の景観を崩すことがないが、暗闇においては的確に蓄光性蛍光体部が視認できるものでなければならない。そのため、誘導ライン本体の長さ方向の断面の波数が２で、視認できる範囲内でより細い形状であることが望ましい。
<実施形態３  効果>
【００３３】
本実施形態の誘導ラインは、誘導ライン本体の長さ方向の断面の波数を２であるため、細く目立たないため、既存の設備の景観を崩すことがない。また、誘導ライン本体及び蓄光性蛍光体材料の使用が少量で足りるため、より安価に誘導ラインを提供することが可能である。
<実施形態４>
<実施形態４  概要>
【００３４】
本実施形態の階段構造体は、階段の縁に配置された階段滑り止めに沿って、蓄光性蛍光体部が表側となるように誘導ラインを設置したことを特徴とする。
<実施形態４  構成>
【００３５】
本実施形態は、誘導ラインの蓄光性蛍光体部が表側となるように、誘導ラインを階段の縁に配置された階段滑り止めに沿って設置した階段構造体である。図８のように階段０８０１に誘導ライン０８０２、０８０３を設置することで、暗闇において、階段の存在を確認し、また階段の縁および段差を確認することができるため、転倒などを防ぐことができる。また、誘導ラインの蓄光性蛍光体部を矢印の形状０８０３にすることで、避難経路として表示することも可能である。
【００３６】
本実施形態の階段構造体に設置された誘導ラインは、実施形態１から３のいづれか一の構成とほぼ同様であるため、説明を省略する。
<実施形態４  効果>
【００３７】
暗闇において、階段の存在を認識させ、また階段の縁および段差を認識させることで、転倒を防止することが可能である。
<実施形態５>
<実施形態５  概要>
【００３８】
本実施形態の壁構造体は、壁本体と、壁本体下縁側に配置された幅木と、幅木の上縁又は下縁に沿って、蓄光性蛍光体部が表側となるように誘導ラインを設置したことを特徴とする。
<実施形態５  構成>
【００３９】
本実施形態は、壁本体と、壁本体下縁側に配置された幅木と、誘導ラインの蓄光性蛍光体部が表側となるように、誘導ラインを幅木の上縁又は下縁に沿って設置した壁構造体である。図９のように幅木０９０１に誘導ライン０９０２を設置することで、暗闇において、壁の存在を確認することができるため、ぶつかることを防ぐことができる。誘導ラインの蓄光性蛍光体部を矢印の形状にすることで、避難経路を表示することも可能である。
【００４０】
本実施形態の壁構造体に設置された誘導ラインは、実施形態１から３のいづれか一の構成とほぼ同様であるため、説明を省略する。
<実施形態５  効果>
【００４１】
暗闇において、壁の存在を認識させることで、壁にぶつかることを防止することが可能である。
<実施形態６>
<実施形態６  概要>
【００４２】
本実施形態の壁構造体は、誘導ライン本体の色が幅木と略同じ色である誘導ラインを蓄光性蛍光体部が表側となるように設置したことを特徴とする。
<実施形態６  構成>
【００４３】
本実施形態は、壁構造体と、壁本体下縁側に配置された幅木と、誘導ライン本体の色が幅木と略同じ色である誘導ラインを蓄光性蛍光体部が表側となるように、幅木の上縁又は下縁に沿って設置した壁構造体である。図１０に、昼間や電灯点灯時等の明るい状態（ａ）と災害発生時などの暗闇の状態（ｂ）での誘導ラインの概念図を示した。誘導ライン本体１００１ａ、１００１ｂの色を幅木１００２ａ、１００２ｂと略同じ色にすることで、昼間や電灯点灯時等は目立たず、周囲の景観に溶け込ませることが可能となる。例えば、幅木が茶色の場合に、誘導ライン本体が黒色の場合や、幅木の色が黒色の場合に、誘導ライン本体が灰色の場合である。誘導ラインの蓄光性蛍光体部１００３ａ、１００３ｂについても、幅木と略同じ色にすることでより周囲と同化させることもできる。災害発生時などの暗闇の状態（ｂ）では、蓄光性蛍光体部１００３ｂが発光するため、壁の存在を認識でき、また蓄光性蛍光体部を矢印の形状にした場合は、避難経路を表示することも可能である。輝度を高くし、残光時間を長くしたい場合は、蓄光性蛍光体部の色は黄色・黄緑色であっても良い。本実施形態の壁構造体に設置された誘導ラインは、実施形態１から３のいづれか一の構成とほぼ同様であるため、説明を省略する。
<実施形態６  効果>
【００４４】
暗闇においては、誘導ラインとしての機能を発揮するが、普段は、既存の設備の景観を崩すことなく、周囲に溶け込ませることが可能である。
<具体例>
【００４５】
図１１に本件発明の具体例を示した。本件発明の誘導ラインは、高さが略３ｍｍ、誘導ライン長さ方向の幅が略７ｍｍの誘導ライン本体と、誘導ライン本体の最も高い位置より略１ｍｍ低い位置まで誘導ライン本体の波の谷部分の斜面に沿って積層され、誘導ライン長さ方向の幅が略４ｍｍの蓄光性蛍光体部から構成される。
【図面の簡単な説明】
【００４６】
【図１】実施形態１を説明するための概略図
【図２】実施形態１を説明するための断面概略図
【図３】実施形態１を説明するための断面概略図
【図４】実施形態１を説明するための断面概略図
【図５】実施形態１を説明するための概略図
【図６】実施形態２を説明するための断面概略図
【図７】実施形態３を説明するための概略図
【図８】実施形態４を説明するための概略図
【図９】実施形態５を説明するための概略図
【図１０】実施形態６を説明するための概略図
【図１１】実施形態２の誘導ラインの具体例
【図１２】従来技術を説明するための概略図
【符号の説明】
【００４７】
０７０１    蓄光性蛍光体部
０７０２    誘導ライン本体
【図１】
2008152420.tif 000003
【図２】
2008152420.tif 000004
【図３】
2008152420.tif 000005
【図４】
2008152420.tif 000006
【図５】
2008152420.tif 000007
【図６】
2008152420.tif 000008
【図７】
2008152420.tif 000009
【図８】
2008152420.tif 000010
【図９】
2008152420.tif 000011
【図１０】
2008152420.tif 000012
【図１１】
2008152420.tif 000013
【図１２】
2008152420.tif 000014